(57)【要約】【課題】複数の部屋のいずれかで消費される電力量の情報からその部屋にいる人物を特定する。【解決手段】記憶部１２は、複数の部屋のそれぞれに割り当てられた識別子と、それぞれの人物に割り当てられた識別子とを対応付けて記憶する。取得部１１１は、それぞれの部屋において消費される電力量を計測する計測手段からその電力量を示す電力量情報を取得する。特定部１１２は、記憶部１２の記憶内容と、取得部１１１により取得された電力量情報とに応じて、部屋に所在する人物を特定する。指示部１１３は、特定部１１２により特定された人物に応じた処理の実行を実行手段に指示する。【選択図】図５
2015099498.tif 000002
【特許請求の範囲】
【請求項１】
複数の部屋のそれぞれに割り当てられた識別子と、それぞれの人物に割り当てられた識別子とを対応付けて記憶する記憶手段と、
それぞれの前記部屋において消費される電力量を計測する計測手段と、
前記記憶手段の記憶内容と、前記計測手段により計測された電力量とに応じて、それぞれの前記部屋に所在する人物を特定する特定手段と
を有する情報処理システム。
【請求項２】
前記計測手段により計測された電力量の変化から、それぞれの前記部屋において電力が消費されるパターンを示すパターン情報を取得するパターン情報取得手段を有し、
前記特定手段は、前記記憶手段の記憶内容と、前記パターン情報とに応じて前記人物を特定する
ことを特徴とする請求項１に記載の情報処理システム。
【請求項３】
それぞれの前記人物の予定を取得する予定取得手段を有し、
前記特定手段は、取得された前記予定と、前記計測手段により計測された電力量とに応じて、それぞれの前記部屋に所在する人物を特定する
ことを特徴とする請求項１または２に記載の情報処理システム。
【請求項４】
前記特定手段により特定された前記人物に応じた処理を実行する実行手段
を有することを特徴とする請求項１から３のいずれか１項に記載の情報処理システム。
【請求項５】
前記特定手段が特定した前記人物が複数である場合に、当該複数の人物の関係を示す関係情報を取得する関係情報取得手段を有し、
前記実行手段は、取得された前記関係情報に応じた処理を実行する
ことを特徴とする請求項４に記載の情報処理システム。
【請求項６】
前記実行手段は、前記特定手段が特定した前記人物が複数である場合に、当該特定手段が当該複数の人物を特定した順番に応じた処理を実行する
ことを特徴とする請求項４または５に記載の情報処理システム。
【請求項７】
前記実行手段は、前記特定手段が特定した前記人物が複数である場合に、当該人物の数に応じた処理を実行する
ことを特徴とする請求項４から６のいずれか１項に記載の情報処理システム。
【請求項８】
複数の部屋のそれぞれに割り当てられた識別子と、それぞれの人物に割り当てられた識別子とを対応付けて記憶する記憶手段と、
それぞれの前記部屋において消費される電力量を計測する計測手段から当該電力量を示す電力量情報を取得する取得手段と、
前記記憶手段の記憶内容と、前記取得手段により取得された電力量情報とに応じて、それぞれの前記部屋に所在する人物を特定する特定手段と
を有する情報処理装置。
【請求項９】
複数の部屋のそれぞれに割り当てられた識別子と、それぞれの人物に割り当てられた識別子とを対応付けて記憶する記憶手段を有するコンピュータを、
それぞれの前記部屋において消費される電力量を計測する計測手段から当該電力量を示す電力量情報を取得する取得手段と、
前記記憶手段の記憶内容と、前記取得手段により取得された電力量情報とに応じて、それぞれの前記部屋に所在する人物を特定する特定手段と
として機能させるためのプログラム。
【請求項１０】
複数の部屋のそれぞれに割り当てられた識別子と、それぞれの人物に割り当てられた識別子とを対応付けて記憶する記憶手段を有する情報処理装置が実行する情報処理方法であって、
それぞれの前記部屋において消費される電力量を計測する計測手段から当該電力量を示す電力量情報を取得する取得ステップと、
前記記憶手段の記憶内容と、前記取得ステップにより取得された電力量情報とに応じて、それぞれの前記部屋に所在する人物を特定する特定ステップと
を有する情報処理方法。
【発明の詳細な説明】
【技術分野】
【０００１】
本発明は、複数の部屋でそれぞれ消費される電力量の情報を利用する技術に関するものである。
【背景技術】
【０００２】
人の居住空間において消費される電力量の情報を利用してサービスを行う様々な試みがなされている。
特許文献１には、住居内の機器が運転しているか停止しているかの運転情報から推定した住居内の人数と、人感センサの出力とにより特定した実際の住居内の人数とを比較し、推定した住居内の人数が実際の住居内の人数よりも多い場合には、機器の使用に無駄があることを警告することが記載されている。
特許文献２には、部屋ごとに計測した使用電力量を示す情報を、部屋ごとに表示することが記載されている。
特許文献３には、利用者により家電機器が操作された場合、利用者の顔または指紋から特定した個人識別情報と操作された家電機器が消費した電力量とを対応付けて記憶することが記載されている。
特許文献４には、各機器の使用電力量を示す情報を、部屋ごとに取得すること、ユーザが使用する端末装置から受信した位置確認用の信号に基づいて、その端末装置が位置する部屋を判別すること、端末装置が位置する部屋を示す情報と、端末装置が位置する部屋における各機器の使用電力量を示す情報とを対応付けて記憶することが記載されている。
特許文献５には、ｍ個のゾーンのうち、人数が下位のｎ個（ｍ＞ｎ）のゾーンに備えられた空調機器を停止させ、他のゾーンに備えられた空調機器の運転を継続することが記載されている。
【先行技術文献】
【特許文献】
【０００３】
【特許文献１】特開２０１１−４７４９４号公報
【特許文献２】特開２０１１−１６０３５８号公報
【特許文献３】特開２０１２−２１２３４４号公報
【特許文献４】特開２０１２−９８８９８号公報
【特許文献５】特開２０１２−２５５５６７号公報
【発明の概要】
【発明が解決しようとする課題】
【０００４】
ところで、上述した特許文献に記載の技術では、電力量の情報から誰がその部屋にいるのかは特定できなかった。またこれらの技術では、特定した人物ごとに向けた処理を実行することもできなかった。
【０００５】
本発明は、複数の部屋のいずれかで消費される電力量の情報からその部屋にいる人物を特定することを目的とする。
【課題を解決するための手段】
【０００６】
上述した課題を解決するため、本発明に係る情報処理システムは、複数の部屋のそれぞれに割り当てられた識別子と、それぞれの人物に割り当てられた識別子とを対応付けて記憶する記憶手段と、それぞれの前記部屋において消費される電力量を計測する計測手段と、前記記憶手段の記憶内容と、前記計測手段により計測された電力量とに応じて、それぞれの前記部屋に所在する人物を特定する特定手段とを有する。
【０００７】
好ましくは、前記計測手段により計測された電力量の変化から、それぞれの前記部屋において電力が消費されるパターンを示すパターン情報を取得するパターン情報取得手段を有し、前記特定手段は、前記記憶手段の記憶内容と、前記パターン情報とに応じて前記人物を特定するとよい。
【０００８】
また、好ましくは、それぞれの前記人物の予定を取得する予定取得手段を有し、前記特定手段は、取得された前記予定と、前記計測手段により計測された電力量とに応じて、それぞれの前記部屋に所在する人物を特定するとよい。
【０００９】
また、好ましくは、前記特定手段により特定された前記人物に応じた処理を実行する実行手段を有するとよい。
【００１０】
また、好ましくは、前記特定手段が特定した前記人物が複数である場合に、当該複数の人物の関係を示す関係情報を取得する関係情報取得手段を有し、前記実行手段は、取得された前記関係情報に応じた処理を実行するとよい。
【００１１】
また、好ましくは、前記実行手段は、前記特定手段が特定した前記人物が複数である場合に、当該特定手段が当該複数の人物を特定した順番に応じた処理を実行するとよい。
【００１２】
また、好ましくは、前記実行手段は、前記特定手段が特定した前記人物が複数である場合に、当該人物の数に応じた処理を実行するとよい。
【００１３】
本発明に係る情報処理装置は、複数の部屋のそれぞれに割り当てられた識別子と、それぞれの人物に割り当てられた識別子とを対応付けて記憶する記憶手段と、それぞれの前記部屋において消費される電力量を計測する計測手段から当該電力量を示す電力量情報を取得する取得手段と、前記記憶手段の記憶内容と、前記取得手段により取得された電力量情報とに応じて、それぞれの前記部屋に所在する人物を特定する特定手段とを有する。
【００１４】
本発明に係るプログラムは、複数の部屋のそれぞれに割り当てられた識別子と、それぞれの人物に割り当てられた識別子とを対応付けて記憶する記憶手段を有するコンピュータを、それぞれの前記部屋において消費される電力量を計測する計測手段から当該電力量を示す電力量情報を取得する取得手段と、前記記憶手段の記憶内容と、前記取得手段により取得された電力量情報とに応じて、それぞれの前記部屋に所在する人物を特定する特定手段として機能させるためのプログラムである。
【００１５】
本発明に係る情報処理方法は、複数の部屋のそれぞれに割り当てられた識別子と、それぞれの人物に割り当てられた識別子とを対応付けて記憶する記憶手段を有する情報処理装置が実行する情報処理方法であって、それぞれの前記部屋において消費される電力量を計測する計測手段から当該電力量を示す電力量情報を取得する取得ステップと、前記記憶手段の記憶内容と、前記取得ステップにより取得された電力量情報とに応じて、それぞれの前記部屋に所在する人物を特定する特定ステップとを有する。
【発明の効果】
【００１６】
本発明によれば、複数の部屋のいずれかで消費される電力量の情報からその部屋にいる人物を特定して、特定したその人物に向けた処理を実行することができる。
【図面の簡単な説明】
【００１７】
【図１】本発明の第１実施形態に係る情報処理システムの全体構成を示す図。
【図２】本発明の第１実施形態に係る情報処理装置の構成を示す図。
【図３】本発明の第１実施形態に係る記憶部に記憶されている対応表の例を示す図。
【図４】本発明の第１実施形態に係るルールデータベースの例を示す図。
【図５】本発明の第１実施形態に係る情報処理装置の機能的構成を示す図。
【図６】本発明の第２実施形態に係るパターンデータベースの例を示す図。
【図７】本発明の第２実施形態に係る情報処理装置の機能的構成を示す図。
【図８】本発明の第３実施形態に係る予定データベースの例を示す図。
【図９】本発明の第３実施形態に係る情報処理装置の機能的構成を示す図。
【図１０】本発明の第４実施形態に係る関係情報データベースの例を示す図。
【図１１】本発明の第４実施形態に係るルールデータベースの例を示す図。
【図１２】本発明の第４実施形態に係る情報処理装置の機能的構成を示す図。
【発明を実施するための形態】
【００１８】
１．第１実施形態
１−１．システムの構成
図１は、本発明の第１実施形態に係る情報処理システム９の全体構成を示す図である。情報処理システム９は、情報処理装置１と、通信回線２と、中継装置４と、計測装置５と、実行装置６とを有する。中継装置４と、計測装置５と、実行装置６とは、住居３に設置されている。
【００１９】
情報処理装置１は、住居３で消費される電力量の情報を処理する装置であり、住居３のどの部屋でどれだけの電力量が消費されたかに応じて、各部屋に所在する人物を特定し、その人物に向けたサービスを提供するよう指示する装置である。
【００２０】
通信回線２は、情報処理装置１と住居３の中継装置４とを接続する回線であり、例えばインターネットなどである。
中継装置４は、住居３の計測装置５および実行装置６と、通信回線２との間で遣り取りされる通信を中継する装置であり、例えばルータなどである。
【００２１】
計測装置５は、本発明における計測手段に相当する構成であり、住居３が有する複数の部屋においてそれぞれ消費される電力の量（電力量）を計測する装置である。電力供給元から供給される電力は図示しない分電盤において変圧・分岐などを経て、複数の部屋へそれぞれ供給される。計測装置５は、複数の計測装置５ａ，５ｂ，５ｃ…を有する。計測装置５ａ，５ｂ，５ｃ…は、それぞれ部屋Ｒａ，Ｒｂ，Ｒｃ…で消費される電力量を計測する。計測装置５は、各部屋で消費された電力量を示す情報を、中継装置４および通信回線２を介して情報処理装置１へ送信する。
【００２２】
実行装置６は、本発明における実行手段に相当する構成であり、情報処理装置１から送信された指示に基づいて決められた処理を実行する装置である。実行装置６は、１つであってもよいし、複数であってもよい。実行装置６は、例えば、空調装置６ａ、報知装置６ｂ、防犯装置６ｃ、防災装置６ｄである。
【００２３】
空調装置６ａは、住居３内の温度や湿度など、空気の状態を調節する装置であり、情報処理装置１の指示に応じて、温度や湿度などの設定を決定したり、複数のシステム（セントラルヒーティング、床下暖房、局所暖房など）から起動するシステムを選択したりする。報知装置６ｂは、例えばモニターやスピーカであり、情報処理装置１の指示に応じた情報を部屋にいる人物に報知する。報知装置６ｂは、例えば、携帯電話機、テレビ、ラジオなどを兼ねていてもよい。防犯装置６ｃは、情報処理装置１の指示に応じてドアや窓の施錠・開錠を制御する装置である。防災装置６ｄは、情報処理装置１の指示に応じて、給湯設備や調理家電などの使用を制限して、火災や漏水など各種の災害を防止する装置である。
【００２４】
１−２．情報処理装置の構成
図２は、本発明の第１実施形態に係る情報処理装置１の構成を示す図である。制御部１１は、情報処理装置１の各部の動作を制御する手段である。制御部１１は、ＣＰＵ（Central Processing Unit）などの演算処理装置や、ＲＯＭ（Read Only Memory）、ＲＡＭ（Random Access Memory）などの記憶装置を備え、これら記憶装置に記憶されたプログラムを実行する。
【００２５】
通信部１３は、通信回線２を介して住居３に設置された中継装置４と情報を通信するインターフェースであり、例えば各種のモデムやIMT-2000に準拠した無線通信回路、あるいは、ＵＳＢ（Universal Serial Bus）規格に準拠したシリアルインターフェースなどである。
【００２６】
記憶部１２はハードディスク、フラッシュメモリなどの大容量の記憶手段であり、制御部１１に読み込まれるプログラムを記憶する。また、記憶部１２は、対応表１２１、ルールデータベース（以下、図において「データベース」をＤＢと略記する）１２２を有する。なお、記憶部１２は、いわゆるリムーバブルディスク、すなわち着脱可能な記録媒体を含んでもよい。また、記憶部１２は、図２において破線で示すように、パターンデータベース１２３、予定データベース１２４、関係情報データベース１２５を有していてもよい。
【００２７】
１−３．対応表の構成
図３は、本発明の第１実施形態に係る記憶部１２に記憶されている対応表１２１の例を示す図である。対応表１２１は、複数の部屋のそれぞれに割り当てられた識別子である「部屋名」と、複数の人物のそれぞれに割り当てられた識別子である「人名」とを対応付けて記憶する。図３（ａ）には、１つの部屋名に対して、１つの人名が対応付けられた対応表１２１の例が示されている。また、図３（ｂ）には、１つの部屋名に対して、１つ以上の人名が対応付けられた対応表１２１の例が示されている。図３（ａ）に示す対応表１２１のように、部屋名と人名とが１対１に対応付けられている場合、情報処理装置１は、部屋名で示される部屋に対応する計測装置５が計測した電力量を監視し、その電力量が閾値を超えた場合に、部屋名に対応する人名で識別される一人の人物がその部屋に所在していると特定する。
【００２８】
一方、図３（ｂ）に示す対応表１２１のように、部屋名と人名とが１対多で対応付けられている場合には、電力量が閾値を超えたとしても、対応付けられた複数の人物のうち誰がその部屋に所在しているのかはわからないが、少なくとも、対応付けられた複数の人物の誰か、またはその全員が部屋に所在していることは特定される。ここでは、誰が部屋に所在しているか不明であっても、限られた人数の人物のうち、誰かがその部屋に所在していることが分かったことをもって、その部屋に所在する人物が特定されたものとする。
【００２９】
１−４．ルールデータベースの構成
図４は、本発明の第１実施形態に係るルールデータベース１２２の例を示す図である。ルールデータベース１２２は、人物を識別する人名と、その人名で識別される人物が部屋に所在していると特定されたときに、実行装置６によって実行する処理の内容（処理内容）とが対応付けて記憶されている。例えば、図４に示すルールデータベース１２２において、人名「Ｐａ」には「Ｐｂへ帰宅／外出を通知（メール）」という処理内容が対応付けて記憶されている。なお、以下において、人名「Ｐａ」により識別される人物のことを、単に「人物Ｐａ」と表記することがある。また、部屋名「Ｒａ」により識別される部屋のことを、単に「部屋Ｒａ」と表記する。
【００３０】
１−５．情報処理装置の機能的構成
図５は、本発明の第１実施形態に係る情報処理装置１の機能的構成を示す図である。制御部１１は、取得部１１１、特定部１１２、および指示部１１３として機能する。取得部１１１は、通信部１３および通信回線２を介して、住居３のそれぞれの部屋において消費される電力量を計測する計測装置５（図１参照）から、その電力量を示す電力量情報を取得する。特定部１１２は、記憶部１２の記憶内容と、取得部１１１により取得された電力量情報とに応じて、部屋に所在する人物を特定する。指示部１１３は、特定部１１２により特定された人物に応じた処理の実行を実行装置６に指示する。
【００３１】
なお、上述した情報処理装置１が実行する情報処理方法は、取得部１１１が、それぞれの部屋において消費される電力量を計測する計測装置５（計測手段）からこの電力量を示す電力量情報を取得する取得ステップと、特定部１１２が、記憶部１２（記憶手段）の記憶内容と、取得ステップにより取得された電力量情報とに応じて、部屋に所在する人物を特定する特定ステップと、指示部１１３が、特定ステップにより特定された人物に応じた処理の実行を実行装置６（実行手段）に指示する指示ステップとを有する。
【００３２】
以上の構成により、例えば、図３（ａ）に示す対応表１２１と、図４に示すルールデータベース１２２とを記憶部１２が記憶している場合、人物Ｐａが、部屋Ｒａに帰ってきて電力を消費すると、情報処理装置１は、人物Ｐａが部屋に帰宅したことを、例えば人物Ｐａの親である人物Ｐｂへメールにより通知する。また、部屋Ｒａで消費される電力量が閾値を下回った場合に、情報処理装置１は、この電力量に関する情報を取得して、部屋Ｒａから人物Ｐａが外出したと判断し、人物Ｐｂに向けて人物Ｐａが外出した旨をメールによって通知する。
【００３３】
このように、本発明に係る情報処理装置１によれば、複数の部屋のいずれかで消費される電力量の情報からその部屋にいる人物を特定することができる。また本発明に係る情報処理装置１によれば、特定したその人物に向けた処理を実行することができる。なお、対応表１２１において部屋名と人名とが１対多で対応付けられている場合、ルールデータベース１２２では、複数の人名と処理内容とが対応付けられていてもよい。そして、情報処理装置１が部屋に所在する人物として複数の人物を特定した場合、実行装置６は、その複数の人物の人名に対応する処理内容を上記のルールデータベース１２２から特定して、その処理を実行すればよい。
【００３４】
２．第２実施形態
本発明の第２実施形態に係る情報処理システム９は、情報処理装置１の記憶部１２がパターンデータベース１２３を記憶しており、制御部１１がこのパターンデータベース１２３を参照して部屋に所在する人物を特定するという点を除き、第１実施形態に係る情報処理システム９と同じである。以下、第２実施形態に係る情報処理システム９について、第１実施形態に係る情報処理システム９と異なる点について主に説明する。
【００３５】
２−１．パターンデータベースの構成
図６は、本発明の第２実施形態に係るパターンデータベース１２３の例を示す図である。パターンデータベース１２３は、それぞれの人物に割り当てられた識別子である人名と、その人物が電力を消費するときの電力量の変化を示すパターンとを対応付けて記憶する。例えば、図６に示す人名「Ｐａ」には、パターンＡが対応付けられており、人名「Ｐｂ」には、パターンＢが対応付けられている。これらのパターンはいずれも、人物が帰宅してからの経過時間を横軸に、その時刻における消費電力量を縦軸に、それぞれ示している。
【００３６】
そして、これらのパターンは、そのパターンで電力を消費する人物の特徴が現れている。具体的には、消費電力量がピークを迎える時期は、パターンＢの方がパターンＡよりも早いが、消費電力量の総量は、パターンＡの方がパターンＢよりも大きい。これは、例えばパターンＢで電力を消費する人物Ｐｂは、帰宅してすぐＩＨ（Induction Heating）調理器などの電源をＯＮにして調理を開始するので、消費電力量のピークが帰宅して比較的早い時点で訪れることを意味する。一方、パターンＡで電力を消費する人物Ｐａは、調理しないため、消費電力量のピークは人物Ｐａが帰宅してから比較的遅い時点で訪れる。また、人物Ｐｂは、在宅中にそれほど大きな電力を消費しない趣味（例えば読書など）をするため、消費電力量の総量が抑えられるのに対し、人物Ｐａは、在宅中に人物Ｐｂに比べて電力を多く消費する趣味（例えばビデオゲームなど）をするため、消費電力量の総量が人物Ｐｂのそれに比べて大きくなる。
なお、パターンデータベース１２３は、情報処理装置１の記憶部１２に記憶されていなくてもよく、情報処理装置１が他の装置から取得してもよい。
【００３７】
２−２．情報処理装置の機能的構成
図７は、本発明の第２実施形態に係る情報処理装置１の機能的構成を示す図である。制御部１１は、特定部１１２、指示部１１３、およびパターン情報取得部１１４として機能する。パターン情報取得部１１４は、通信部１３および通信回線２を介して、住居３のそれぞれの部屋において消費される電力量を計測する計測装置５（図１参照）から、その電力量を示す電力量情報を連続して取得し、取得したその電力量の変化から、それぞれの部屋において電力が消費されるパターンを示すパターン情報を取得する。
【００３８】
特定部１１２は、記憶部１２の記憶内容（具体的にはパターンデータベース１２３）と、パターン情報取得部１１４により取得されたパターン情報とに応じて、部屋に所在する人物を特定する。指示部１１３は、特定部１１２により特定された人物に応じた処理の実行を実行装置６に指示する。
【００３９】
この構成により、第２実施形態に係る情報処理装置１は、例えば、図３（ｂ）に示したように、対応表１２１が部屋名と人名とを１対多で対応付けている場合であっても、消費電力量のパターンから、複数の人物のうち、誰が部屋に所在しているかを特定することができる。なお、情報処理装置１は、パターンデータベース１２３を参照して、各人物のパターンを合成した合成パターンを生成し、この合成パターンと、パターン情報取得部１１４が取得したパターン情報により示されるパターンとを比較してもよい。そして、取得したパターン情報により示されるパターンと、合成パターンとが決められた誤差の範囲で一致した場合に、情報処理装置１は、部屋に複数の人物が所在していることを特定してもよい。
【００４０】
例えば、人物Ｐａが、帰宅して１分以内に空調装置を起動させる電力消費のパターンＡを有しており、人物Ｐｂが、帰宅して１分以内に携帯電話機の充電装置を起動させる電力消費のパターンＢを有している場合、計測装置５から取得した消費電力量の波形に、空調装置を起動させたときの電力量推移のパターンＡと、充電装置を起動させたときの電力量推移のパターンＢとを合成した合成パターンが現れていれば、情報処理装置１は、人物Ｐａと人物Ｐｂとがともにその部屋に所在していると判断してもよい。また、情報処理装置１は、パターンＡとパターンＢのそれぞれのピークが生じる時刻から、どちらが先に帰宅したかを判断してもよい。
【００４１】
３．第３実施形態
本発明の第３実施形態に係る情報処理システム９は、情報処理装置１の記憶部１２が予定データベース１２４を記憶しており、制御部１１がこの予定データベース１２４を参照して部屋に所在する人物を特定するという点を除き、第１実施形態に係る情報処理システム９と同じである。以下、第３実施形態に係る情報処理システム９について、第１実施形態に係る情報処理システム９と異なる点について主に説明する。
【００４２】
３−１．予定データベースの構成
図８は、本発明の第３実施形態に係る予定データベース１２４の例を示す図である。予定データベース１２４は、それぞれの人物に割り当てられた識別子である人名と、その人物の予定とを対応付けて記憶する。予定データベース１２４には、決められた日（例えば、図８における「２０１３年１１月１１日」）の２４時間で、或る人物について外出および帰宅の予定がそれぞれの時間帯ごとに区別して示されている。なお、予定データベース１２４は、情報処理装置１の記憶部１２に記憶されていなくてもよく、情報処理装置１が他の装置から取得してもよい。
【００４３】
３−２．情報処理装置の機能的構成
図９は、本発明の第３実施形態に係る情報処理装置１の機能的構成を示す図である。制御部１１は、取得部１１１、特定部１１２、指示部１１３、および予定取得部１１５として機能する。
【００４４】
取得部１１１は、それぞれの部屋において消費される電力量を計測する計測装置５からその電力量が計測された時刻と、その電力量を示す電力量情報との組を取得する。予定取得部１１５は、記憶部１２に記憶された予定データベース１２４を参照し、それぞれの人物の予定を取得する。
【００４５】
特定部１１２は、記憶部１２の記憶内容（具体的には予定データベース１２４）から、対象となる部屋に所在し得る１人以上の人物の人物名を特定し、予定取得部１１５が取得したそれらの人物の予定を参照して、その時刻にその人物がその部屋に所在することが可能であるか否かを判断する。そして、情報処理装置１の制御部１１は、上記の人物の予定が外出を示している時間帯に消費電力量が閾値を超えた場合に、その部屋にその人物が所在していないと判断し、その人物の予定が在宅を示している時間帯に消費電力量が閾値を超えた場合に、その部屋にその人物が所在していると判断する。つまり、特定部１１２は、取得された予定と、計測手段により計測された電力量とに応じて、部屋に所在している人物を特定する。
指示部１１３は、特定部１１２により特定された人物に応じた処理の実行を実行装置６に指示する。
【００４６】
この構成により、第３実施形態に係る情報処理装置１は、例えば、図３（ｂ）に示したように、対応表１２１が部屋名と人名とを１対多で対応付けている場合であっても、該当する人物の予定を参照して、電力量を計測した時刻に外出が予定されている場合には、その人物を除外して人物特定をする。これにより、例えば、リビングで電力が消費された場合に、情報処理装置１は、各人のスケジュールに基づいて在宅してリビングに居る可能性がある人物を特定することができるから、情報処理装置１により人物を特定する精度は、この構成を用いない場合に比べて向上する。
【００４７】
なお、対応表１２１により部屋に対応付けられた人物が、予定データベース１２４に記述された予定に反してその部屋に所在している場合、情報処理装置１は、その所在を無視して実行装置６の実行を制御してもよい。
【００４８】
４．第４実施形態
本発明の第４実施形態に係る情報処理システム９は、情報処理装置１の記憶部１２が関係情報データベース１２５を記憶しており、制御部１１がこの関係情報データベース１２５を参照して、部屋に所在している特定された人物たちの関係に応じた処理の実行を実行手段に指示するという点を除き、第１実施形態に係る情報処理システム９と同じである。以下、第４実施形態に係る情報処理システム９について、第１実施形態に係る情報処理システム９と異なる点について主に説明する。
【００４９】
４−１．関係情報データベースの構成
図１０は、本発明の第４実施形態に係る関係情報データベース１２５の例を示す図である。関係情報データベース１２５は、それぞれの人物に割り当てられた識別子である人名の組み合わせごとに、その人物たちの関係を記憶する。図１０に示す関係情報データベース１２５には、２人の人物の組み合わせが行列で記述されており、行で示される人物が列で示される人物に対して抱いている感情を「◎」「○」「△」「？」の４段階の関係情報で表している。感情は、「◎」→「○」→「△」→「？」の順に悪化するように定められている。この関係情報データベース１２５によれば、例えば、人物Ｐａは人物Ｐｂに対して「◎」で示す感情、すなわち、最高の好印象を抱いている。一方、人物Ｐｂは人物Ｐａに対して「○」で示す感情、すなわち、ほどほどの好印象を抱いている。このような関係情報は、例えば、各人が登録しているソーシャル・ネットワーキング・サービス（social networking service、SNS）などの遣り取りの履歴や、メールの送受信の頻度などを定期的に集計することで決定される。
【００５０】
なお、関係情報は、２人の人物が互いに抱いている感情に基づいて、その２人の組み合わせに対して１つ決められてもよい。例えば、関係情報は、２人の人物が互いに抱いている感情を示す点数の相加平均値で示されてもよい。また、関係情報データベース１２５は、情報処理装置１の記憶部１２に記憶されていなくてもよく、情報処理装置１が他の装置から取得してもよい。
【００５１】
４−２．ルールデータベースの構成
図１１は、本発明の第４実施形態に係るルールデータベース１２２の例を示す図である。第４実施形態において、ルールデータベース１２２は、関係情報と、部屋に所在していると特定された２人の人物の関係情報がその関係情報であるときに、実行装置６によって実行する処理の内容（処理内容）とが対応付けて記憶されている。例えば、図１１に示すルールデータベース１２２において、関係情報「◎」には「相手の設定を完全に優先する」という処理内容が対応付けて記憶されている。
【００５２】
４−３．情報処理装置の機能的構成
図１２は、本発明の第４実施形態に係る情報処理装置１の機能的構成を示す図である。制御部１１は、取得部１１１、特定部１１２、指示部１１３、および関係情報取得部１１６として機能する。
【００５３】
取得部１１１は、通信部１３および通信回線２を介して、住居３のそれぞれの部屋において消費される電力量を計測する計測装置５から、その電力量を示す電力量情報を取得する。特定部１１２は、記憶部１２の記憶内容と、取得部１１１により取得された電力量情報とに応じて、部屋に所在する人物を特定する。関係情報取得部１１６は、特定部１１２が特定した人物が複数である場合に、記憶部１２に記憶された関係情報データベース１２５を参照して、それら複数の人物の関係を示す関係情報を取得する。指示部１１３は、関係情報取得部１１６により取得された関係情報に応じた処理の実行を実行装置６に指示する。
【００５４】
この構成により、第４実施形態に係る情報処理装置１は、例えば、図３（ｂ）に示したように、対応表１２１が部屋名と人名とを１対多で対応付けており、複数の人物が部屋に所在していると特定された場合には、特定されたそれらの人物の関係に応じて実行する処理を決定し、実行装置に指示する。これにより、情報処理装置１は、部屋に所在している人物同士の関係に応じたきめ細やかな処理を実行させることができる。
【００５５】
５．変形例
以上が実施形態の説明であるが、この実施形態の内容は以下のように変形し得る。また、以下の変形例を組み合わせてもよい。
【００５６】
５−１．変形例１
上述した実施形態において、情報処理装置１が部屋に所在する人物として特定した人物が複数である場合に、ルールデータベース１２２においてその複数の人名と対応付けられた処理内容を実行するか、その複数の人物の関係を示す関係情報に応じた処理を実行していた。しかし、この場合に実行装置６が実行する処理は、上述したものに限られない。例えば、実行装置６（実行手段）は、情報処理装置１が特定した人物が複数である場合に、それらの人物を特定した順番に応じた処理を実行してもよい。この場合、ルールデータベース１２２には、情報処理装置１が人物を特定した順番に対応づけて、実行する処理内容を記載していてもよい。
【００５７】
この構成によれば、例えば、部屋Ｒｂに帰宅する順番が、人物Ｐａ→人物Ｐｂの場合と、人物Ｐｂ→人物Ｐａの場合とで、実行装置６は、異なる処理を実行してもよい。具体的には、人物Ｐａが人物Ｐｂより先に帰宅した場合には、人物Ｐｂの帰宅後であっても人物Ｐａの設定で空調装置６ａを運転し、人物Ｐｂが人物Ｐａより先に帰宅した場合には、人物Ｐａが帰宅するまでは人物Ｐｂの設定で空調装置６ａを運転し、人物Ｐａの帰宅後は人物Ｐａと人物Ｐｂとの各設定の中間値で空調装置６ａを運転するといった具合である。
【００５８】
５−２．変形例２
また、情報処理装置１が部屋に所在する人物として特定した人物が複数である場合に、実行装置６は、特定した人物の数（人数）に応じた処理を実行してもよい。この場合、ルールデータベース１２２には、情報処理装置１が特定する人物の数に対応づけて、実行する処理内容を記載していてもよい。この構成によれば、例えば、家族のうち、二人以上がリビングに揃うと、セントラルヒーティングを起動するといった処理が可能である。
【００５９】
５−３．変形例３
上述した情報処理装置１の制御部１１によって実行されるプログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。なお、上記の制御部１１によって例示した制御手段としてはＣＰＵ以外にも種々の装置が適用される場合があり、例えば、専用のプロセッサなどが用いられる。
【００６０】
５−４．変形例４
上述した実施形態において、制御部１１により実現する特定部１１２は、記憶部１２の記憶内容（対応表１２１、パターンデータベース１２３、予定データベース１２４）と、取得部１１１により取得された電力量情報とに応じて、部屋に所在する人物を特定していたが、さらに他の情報を利用してこの特定の精度を向上させてもよい。例えば、住居３には、対応表１２１に人名が記述された人物がそれぞれ所有する無線端末から、それらの識別情報を取得する受信機器を有しており、情報処理装置１は、この受信機器が取得した識別情報を、中継装置４および通信回線２を介して取得してもよい。そして、情報処理装置１の制御部１１は、電力量情報に応じて行った人物の特定を、受信機器から取得した無線端末を識別する識別情報に基づいて修正してもよい。
【００６１】
５−５．変形例５
上述した実施形態において、計測装置５は、複数の計測装置を有しており、そのそれぞれが複数の部屋に対応付けられていてそれらの部屋で消費される電力量を計測していたが、部屋に設置されている電気機器ごとに電力量を計測する計測装置を有していてもよい。この場合、計測装置５は、例えば、或る部屋に設置されているテレビが消費する電力量と、その部屋に設置されているドライヤーが消費する電力量とをそれぞれ個別に計測し、情報処理装置１に送信してもよい。情報処理装置１は、どの電気製品でどれだけ電力が消費されたかを、予め記憶された人物ごとの電力消費行動と比較して、その部屋に所在している人物を特定してもよい。
【符号の説明】
【００６２】
１…情報処理装置、１１…制御部、１１１…取得部、１１２…特定部、１１３…指示部、１１４…パターン情報取得部、１１５…予定取得部、１１６…関係情報取得部、１２…記憶部、１２１…対応表、１２２…ルールデータベース、１２３…パターンデータベース、１２４…予定データベース、１２５…関係情報データベース、１３…通信部、２…通信回線、３…住居、４…中継装置、５…計測装置、６…実行装置、６ａ…空調装置、６ｂ…報知装置、６ｃ…防犯装置、６ｄ…防災装置、９…情報処理システム。
【図１】
2015099498.tif 000003
【図２】
2015099498.tif 000004
【図３】
2015099498.tif 000005
【図４】
2015099498.tif 000006
【図５】
2015099498.tif 000007
【図６】
2015099498.tif 000008
【図７】
2015099498.tif 000009
【図８】
2015099498.tif 000010
【図９】
2015099498.tif 000011
【図１０】
2015099498.tif 000012
【図１１】
2015099498.tif 000013
【図１２】
2015099498.tif 000014